(57)【要約】      （修正有）【課題】荷物を送る際に、荷物の内容などに関する説明などを、メモ書き程度の短文で簡潔に記載し、それを保護シールで覆い隠しながら当該荷物に貼り付けて使用することができる連絡用貼付シートを提供する。【解決手段】それぞれ同一形状及び同一の大きさからなる、筆記シート３と、基材シート２と、保護シート４とが三層に積層されてなる連絡用貼付シート１であって、前記筆記シート３は表面が情報記載部になっていると共に、前記保護シート４は前記筆記シート３の表面に前記保護シート４の裏面を上側から積層した際に当該情報記載部に記載されている事項を視認できなくする不透明な部材からなる。前記基材シート２と、前記筆記シート３とが第一の接着剤層２ａを介して貼着され、前記基材シート２と、前記保護シート４とが、前記基材シート２の第二の接着剤層及び、前記保護シート４の再剥離再貼着可能な低粘着型の接着剤層とを介して貼着されている。【選択図】図１
0003177152.tif 000002
【実用新案登録請求の範囲】
【請求項１】
それぞれ同一形状及び同一の大きさからなる、筆記シートと、基材シートと、保護シートとが三層に積層されてなる連絡用貼付シートであって、
前記筆記シートは表面が罫線が形成されている情報記載部になっていると共に、前記保護シートは前記筆記シートの表面に前記保護シートの裏面を上側から積層した際に当該情報記載部に記載されている事項を視認できなくする不透明な部材からなり、
前記基材シートの表面と、前記筆記シートの裏面とが第一の接着剤層を介して貼着され、
前記基材シートの裏面と、前記保護シートの裏面とが、前記基材シートの裏面に形成されている第二の接着剤層及び、前記保護シートの裏面に形成されている再剥離再貼着可能な低粘着型の接着剤層とを介して貼着されている
ことを特徴とする連絡用貼付シート。
【請求項２】
前記第二の接着剤層は、強粘着型の接着剤層であることを特徴とする請求項１記載の連絡用貼付シート。
【請求項３】
それぞれ同一形状及び同一の大きさからなる、筆記シートと保護シートとが二層に積層されてなる連絡用貼付シートであって、
前記筆記シートは表面が罫線が形成されている情報記載部になっていると共に、前記保護シートは前記筆記シートの表面に前記保護シートの裏面を上側から積層した際に当該情報記載部に記載されている事項を視認できなくする不透明な部材からなり、
前記筆記シートの表面の一方の側の端縁と、前記筆記シートの表面の一方の側の端縁に対応する前記保護シートの裏面の一方の側の端縁とが固着されており、
前記保護シートの裏面に形成されている再剥離再貼着可能な低粘着型の接着剤層を介して第一の剥離紙が前記保護シートの裏面に貼着され、
前記筆記シートの裏面に形成されている第三の接着剤層を介して第二の剥離紙が前記筆記シートの裏面に貼着されている
ことを特徴とする連絡用貼付シート。
【請求項４】
前記第三の接着剤層は、強粘着型の接着剤層であることを特徴とする請求項３記載の連絡用貼付シート。
【考案の詳細な説明】
【技術分野】
【０００１】
この考案は、連絡用貼付シートに関し、特に、荷物を送る際に、当該荷物の中身などを短文で簡潔に記載し、それを保護シールで覆い隠しながら当該荷物に貼り付けて使用することができる連絡用貼付シートに関する。
【背景技術】
【０００２】
従来、荷物を届けたい相手方に送る際に、当該荷物の内容を説明する書類などを荷物に同封することがある。この場合、荷物ごとに説明書類を作成するのでは煩雑になることがある。
【０００３】
一方、インターネットなどの普及、情報技術の発達により、電子メールを利用したコミュニケーション方法が確立されている。電子メールでは、簡単な短文で情報の送受信が行えるので、紙媒体での情報通信よりも負担が少なくなることがある。
【先行技術文献】
【特許文献】
【０００４】
【特許文献１】特開２０００−７３０３０号公報
【特許文献２】実用新案登録第３０６６５０５号公報
【考案の概要】
【考案が解決しようとする課題】
【０００５】
そこで、本考案は、荷物を送る際に、電子メールのように簡単な、短文で荷物の内容などを記載することに適した連絡用貼付シートを提供することを目的にしている。
【課題を解決するための手段】
【０００６】
請求項１記載の考案は、
それぞれ同一形状及び同一の大きさからなる、筆記シートと、基材シートと、保護シートとが三層に積層されてなる連絡用貼付シートであって、
前記筆記シートは表面が罫線が形成されている情報記載部になっていると共に、前記保護シートは前記筆記シートの表面に前記保護シートの裏面を上側から積層した際に当該情報記載部に記載されている事項を視認できなくする不透明な部材からなり、
前記基材シートの表面と、前記筆記シートの裏面とが第一の接着剤層を介して貼着され、
前記基材シートの裏面と、前記保護シートの裏面とが、前記基材シートの裏面に形成されている第二の接着剤層及び、前記保護シートの裏面に形成されている再剥離再貼着可能な低粘着型の接着剤層とを介して貼着されている
ことを特徴とする連絡用貼付シート
である。
【０００７】
請求項２記載の考案は、
前記第二の接着剤層は、強粘着型の接着剤層であることを特徴とする請求項１記載の連絡用貼付シート
である。
【０００８】
請求項３記載の考案は、
それぞれ同一形状及び同一の大きさからなる、筆記シートと保護シートとが二層に積層されてなる連絡用貼付シートであって、
前記筆記シートは表面が罫線が形成されている情報記載部になっていると共に、前記保護シートは前記筆記シートの表面に前記保護シートの裏面を上側から積層した際に当該情報記載部に記載されている事項を視認できなくする不透明な部材からなり、
前記筆記シートの表面の一方の側の端縁と、前記筆記シートの表面の一方の側の端縁に対応する前記保護シートの裏面の一方の側の端縁とが固着されており、
前記保護シートの裏面に形成されている再剥離再貼着可能な低粘着型の接着剤層を介して第一の剥離紙が前記保護シートの裏面に貼着され、
前記筆記シートの裏面に形成されている第三の接着剤層を介して第二の剥離紙が前記筆記シートの裏面に貼着されている
ことを特徴とする連絡用貼付シート。
【０００９】
である。
【００１０】
請求項４記載の考案は、
前記第三の接着剤層は、強粘着型の接着剤層であることを特徴とする請求項３記載の連絡用貼付シート
である。
【考案の効果】
【００１１】
この考案によれば、荷物を送る際に、電子メールのように簡単な、短文で荷物の内容などを記載することに適した連絡用貼付シートを提供することができる。すなわち、荷物を送る際に、荷物の内容などに関する説明などを、メモ書き程度の短文で簡潔に記載し、それを保護シールで覆い隠しながら当該荷物に貼り付けて使用することができる連絡用貼付シートを提供することができる。
【図面の簡単な説明】
【００１２】
【図１】本考案の一実施形態を表す図であって、（ａ）連絡用貼付シートの斜視図、（ｂ）他の実施形態の連絡用貼付シートから保護シートを剥がす状態の斜視図、（ｃ）連絡事項が記載されている筆記シートの表面に保護シートを貼り付ける状態の斜視図、（ｄ）梱包・密封等された荷物搬送用の容器に連絡用貼付シートを貼り付けた状態を表す斜視図。
【図２】本考案の更に他の実施形態を表す図であって、（ａ）連絡用貼付シートの側面図、（ｂ）情報記載部に情報を記入する状態及び保護シートから第一の剥離紙を引き剥がす状態を説明する平面図、（ｃ）保護シートから第一の剥離紙を引き剥がし、保護シートの裏面を筆記シートの表面に貼り付ける状態を説明する側面図。
【考案を実施するための形態】
【００１３】
以下、図面を参照して本考案の一実施形態について説明する。
【００１４】
本考案の連絡用貼付シート１は、それぞれ同一形状及び同一の大きさからなる筆記シート３と、基材シート２と、保護シート４とが三層に積層されて形成されている。
【００１５】
筆記シート３は表面３ａが情報記載部になっている。保護シート４は筆記シート３の表面３ａに保護シート４の裏面を上側から積層した際に当該情報記載部に記載されている事項を視認できなくする不透明な部材から形成されている。
【００１６】
基材シート２の表面と、筆記シート３の裏面とは、第一の接着剤層２ａを介して貼着されている。
【００１７】
基材シート２の裏面と、保護シート４の裏面とは、基材シート２の裏面に形成されている第二の接着剤層２ｂ及び、保護シート４の裏面に形成されている再剥離再貼着可能な低粘着型の接着剤層４ａとを介して貼着されている。
【００１８】
筆記シート３の表面３ａからなる情報記載部は、例えば、図１（ａ）図示のように白紙の状態に形成しておくことができ、この情報記載部にメモ書きのように簡単な情報（連絡事項）を短文で記載することができる。文字情報の記入を補助するべく、図１（ｂ）図示のように、筆記シート３の表面３ａからなる情報記載部には、あらかじめ罫線６が形成されている形態にすることもできる。
【００１９】
以下、本考案の連絡用貼付シート１の使い方の一例を説明する。
【００２０】
図１（ｄ）図示のように、荷物搬送用の容器７に荷物を収容し、テープ５などを用いて梱包や密封した後、筆記シート３の表面３ａからなる情報記載部に、当該荷物搬送用の容器７を受け取る人にあてた連絡事項を記入する。例えば、当該荷物搬送用の容器７に収容されている荷物に関する情報を簡単に記載する。
【００２１】
次に、保護シート４の裏面を図１（ｂ）図示のように、基材シート２の裏面から剥離する。保護シート４の裏面に形成されているのは、再剥離再貼着可能な低粘着型の接着剤層４ａであるので、簡単に、保護シート４の裏面を基材シート２の裏面から剥離することができる。
【００２２】
その後、基材シート２の裏面を、当該裏面に形成されている第二の接着剤層２ｂを介して、図１（ｄ）図示のように、梱包・密封済の荷物搬送用の容器７の見えやすい位置に貼り付ける。
【００２３】
次いで、保護シート４の裏面を、図１（ｃ）図示のように、表面３ａからなる情報記載部に連絡事項が記入されている筆記シート３の表面３ａに、保護シート４の裏面に形成されている再剥離再貼着可能な低粘着型の接着剤層４ａを介して、貼り付け、図１（ｄ）図示の状態にする。
【００２４】
図１（ｄ）図示の状態では、保護シート４の表面が、荷物搬送用の容器７に貼り付けられている連絡用貼付シート１の一番上側の面（表面）になる。保護シート４は不透明であるので、図１（ｄ）図示の状態では、筆記シート３の表面３ａからなる情報記載部に記載されている連絡事項を読み取ることができない。
【００２５】
図１（ｄ）図示のように梱包・密封されている荷物搬送用の容器７を受け取った受取人は、保護シート４を、筆記シート３の表面３ａ（情報記載部）から剥離し、ここに記載されている情報を読み取ることができる。この場合も、保護シート４の裏面に形成されているのは、再剥離再貼着可能な低粘着型の接着剤層４ａであるので、簡単に、保護シート４を筆記シート３の表面３ａ（情報記載部）から剥離することができる。
【００２６】
なお、基材シート２の裏面に形成されている第二の接着剤層２ｂを強粘着型の接着剤層にしておけば、密封済の荷物搬送用の容器７が搬送されている間に連絡用貼付シート１が剥離してしまうことを防止できる。
【００２７】
図２（ａ）〜（ｃ）は本考案の更に他の実施形態を説明するものである。上述した図１（ａ）〜（ｄ）を用いて説明した構成部材と共通する部分には共通する符号をつけてその説明を省略する。
【００２８】
図２（ａ）〜（ｃ）図示の連絡用貼付シート１０は、それぞれ同一形状及び同一の大きさからなる筆記シート３と保護シート４とが二層に積層されてなるものである。
【００２９】
筆記シート３の表面３ａの一方の側（図２（Ａ）中、右側）の端縁と、筆記シート３の表面３ａの一方の側の端縁に対応する保護シート４の裏面の一方の側の端縁とは固着されている。図示の実施形態では接着剤１１によって接着固定されている。
【００３０】
上述した実施形態と同じく、筆記シート３は、表面３ａが罫線６が形成されている情報記載部になっている。また、保護シート４は筆記シート３の表面３ａに保護シート４の裏面を図２（ａ）、（ｃ）のように上側から積層した際に情報記載部（筆記シート３の表面３ａ）に記載されている事項を視認できなくする不透明な部材から構成されている。
【００３１】
保護シート４の裏面に形成されている再剥離再貼着可能な低粘着型の接着剤層４ａを介して第一の剥離紙８が保護シート４の裏面に貼着されている。
【００３２】
筆記シート３の裏面に形成されている第三の接着剤層３ｂを介して第二の剥離紙９が筆記シート３の裏面に貼着されている。この第三の接着剤層３ｂは、強粘着型の接着剤層である。
【００３３】
この図２（ａ）〜（ｃ）図示の連絡用貼付シート１０も、前述した図１（ａ）〜（ｄ）図示の連絡用貼付シート１と同じように、以下のようにして使用される。
【００３４】
図２（ｂ）図示の状態にして筆記シート３の表面３ａからなる情報記載部に、荷物搬送用の容器７を受け取る人にあてた連絡事項を記入する。例えば、荷物搬送用の容器７に収容されている荷物に関する情報を簡単に記載する。
【００３５】
次に、保護シート４の裏面に再剥離再貼着可能な低粘着型の接着剤層４ａを介して貼り付けされている第一の剥離紙８を引き剥がし、次いで、図２（ｃ）図示のように、接着剤層４ａを介して保護シート４の裏面を筆記シート３の表面３ａからなる情報記載部に貼り付ける。
【００３６】
その後、筆記シート３の裏面に形成されている第三の接着剤層３ｂを介して筆記シート３の裏面に貼り付けられている第二の剥離紙９を筆記シート３の裏面から引きはがし、筆記シート３の裏面を、当該裏面に形成されている第三の接着剤層３ｂを介して梱包・密封済の荷物搬送用の容器７の見えやすい位置に貼り付ける。
【００３７】
この実施例でも、保護シート４の表面が、荷物搬送用の容器７に貼り付けられている連絡用貼付シート１０の一番上側の面（表面）になる。保護シート４は不透明であるので、筆記シート３の表面３ａからなる情報記載部に記載されている連絡事項を読み取ることができない。
【００３８】
一方、密封されている荷物搬送用の容器７を受け取った受取人は、保護シート４を、筆記シート３の表面３ａ（情報記載部）から剥離し、ここに記載されている情報を読み取ることができる。この場合も、保護シート４の裏面に形成されているのは、再剥離再貼着可能な低粘着型の接着剤層４ａであるので、簡単に、保護シート４を筆記シート３の表面３ａ（情報記載部）から剥離することができる。
【００３９】
なお、第二の接着剤層２ｂ、第三の接着剤層３ｂに用いられる強粘着型の接着剤、再剥離再貼着可能な低粘着型の接着剤層４ａに用いられる接着剤については、いずれも従来公知のものを採用することができ、特に限定はない。
【００４０】
本考案の連絡用貼付シート１により、荷物を送る際に長文を要する手紙を同封する負担を減らし、電子メールのようにあいさつなどの短文を手軽に書き添えて荷物を送ることができる。
【００４１】
また、前記あいさつなどの短文は、不透明な保護シート４を、その裏面に形成されている剥離再貼着可能な低粘着型の接着剤層４ａを介して、連絡事項が記入されている筆記シート３の表面３ａに貼り付けることにより覆い隠すことができる。そこで、荷物が相手方に届くまで連絡事項などの短文は保護される。
【００４２】
以上、添付図面を参照して本考案の好ましい実施形態、実施例を説明したが、本考案はかかる実施形態、実施例に限定されるものではなく、実用新案登録請求の範囲の記載から把握される技術的範囲において種々の形態に変更可能である。
【符号の説明】
【００４３】
１、１０  連絡用貼付シート
２  基材シート
２ａ  第一の接着剤層
２ｂ、３ｂ  第二の接着剤層（強粘着型の接着剤層）
３  筆記シート
３ａ  筆記シートの表面（情報記載部）
４  保護シート
４ａ  再剥離再貼着可能な低粘着型の接着剤層
５  テープ
６  罫線
７  荷物搬送用の容器
８  第一の剥離紙
９  第二の剥離紙
【図１】
0003177152.tif 000003
【図２】
0003177152.tif 000004